(57)【要約】【課題】  ヘルメットに簡単に装着することができ、ヘルメットから外れ難く、ヘルメットの開放端を覆うことによって、頭部の保護をより一層向上したヘルメット用カバーを提供する。【解決手段】  ヘルメット用カバー１０は、ヘルメット１に被着される柔軟素材で形成されたものであり、ヘルメット１の表面３全体を覆うカバー本体１１と、カバー本体１１の開放端周縁１９に連設された、ヘルメット１の開放端９を包み込むようにしてヘルメット１の内面２側に折曲される折曲片１２とからなる。折曲片１２には、ヘルメット１の内面２に設けられた面ファスナー６と係着可能な面ファスナー２６が設けられている。【選択図】        図６
2006028662.tif 000002
【特許請求の範囲】
【請求項１】
硬質素材によって半球体状に形成されたヘルメットに被着される柔軟素材で形成されたヘルメット用カバーであって、
ヘルメットの表面全体を覆うように形成されたカバー本体と、
カバー本体の開放端周縁に連設された、ヘルメットの開放端を包み込むようにしてヘルメットの内面側に折曲される折曲片とからなることを特徴とするヘルメット用カバー。
【請求項２】
前記折曲片には、ヘルメットの内面に設けられた面ファスナーと係着可能な面ファスナーが設けられていることを特徴とする請求項１記載のヘルメット用カバー。
【請求項３】
前記折曲片は、複数の折曲小片からなり、
折曲小片は、ヘルメットの内面側に折曲されると、これの側部が隣り合う他の折曲小片の側部と重なり合うように形成されており、
折曲小片の側部には、隣り合う他の折曲小片の側部に設けられた面ファスナーと係着可能な面ファスナーが設けられていることを特徴とする請求項１記載のヘルメット用カバー。
【発明の詳細な説明】
【技術分野】
【０００１】
本願発明は、オートバイ、自転車等の走行車両の乗車時に被るヘルメットに装着されるヘルメット用カバーに関する。
【背景技術】
【０００２】
従来のヘルメット用カバーは、布地等の柔軟素材で形成され、硬質素材によって半球体状に形成されたヘルメットに被着される。この従来のヘルメット用カバーは、開放端周縁に紐が挿通されて設けられ、紐の両端を引っ張って結ぶことにより、ヘルメットの表面を覆うようにして着脱可能に取り付けられる（例えば、特許文献１）。
【特許文献１】実公平４−３１２２９号公報
【発明の開示】
【発明が解決しようとする課題】
【０００３】
上記従来のヘルメット用カバーは、紐の両端を引っ張って結ぶことにより、開放端周縁が絞られてヘルメットの開放端に係止されるが、紐が緩んでヘルメットから外れやすいという問題点があった。また、従来のヘルメット用カバーは、ヘルメットの開放端を覆っていないので、ヘルメットの開放端が頭部に接触すると、頭部を傷付ける場合があった。
【０００４】
本願発明は、上記問題点に鑑み案出したものであって、ヘルメットに簡単に装着することができ、ヘルメットから外れ難く、ヘルメットの開放端を覆うことによって、頭部の保護をより一層向上したヘルメット用カバーを提供することを目的とする。
【課題を解決するための手段】
【０００５】
本願請求項１に係るヘルメット用カバーは、上記目的を達成するため、硬質素材によって半球体状に形成されたヘルメットに被着される柔軟素材で形成されたヘルメット用カバーであって、ヘルメットの表面全体を覆うように形成されたカバー本体と、カバー本体の開放端周縁に連設された、ヘルメットの開放端を包み込むようにしてヘルメットの内面側に折曲される折曲片とからなる。
【０００６】
本願請求項２に係るヘルメット用カバーは、上記目的を達成するため、前記折曲片には、ヘルメットの内面に設けられた面ファスナーと係着可能な面ファスナーが設けられている。
【０００７】
本願請求項３に係るヘルメット用カバーは、上記目的を達成するため、前記折曲片は、複数の折曲小片からなり、折曲小片は、ヘルメットの内面側に折曲されると、これの側部が隣り合う他の折曲小片の側部と重なり合うように形成されており、折曲小片の側部には、隣り合う他の折曲小片の側部に設けられた面ファスナーと係着可能な面ファスナーが設けられている。
【発明の効果】
【０００８】
本願発明に係るヘルメット用カバーは、硬質素材によって半球体状に形成されたヘルメットに被着される柔軟素材で形成されたものであって、ヘルメットの表面全体を覆うように形成されたカバー本体と、カバー本体の開放端周縁に連設された、ヘルメットの開放端を包み込むようにしてヘルメットの内面側に折曲される折曲片とからなるので、ヘルメットの表面のみならず、ヘルメットの開放端も覆うことができ、頭部の保護をより一層向上することができるという効果がある。
【０００９】
本願発明に係るヘルメット用カバーは、前記折曲片には、ヘルメットの内面に設けられた面ファスナーと係着可能な面ファスナーが設けられているので、折曲片をヘルメットの内面側に折曲すると、折曲片の面ファスナーがヘルメットの内面に設けられた面ファスナーに係着して、ヘルメットに簡単に取り付けることができるという効果がある。
【００１０】
本願発明に係るヘルメット用カバーは、前記折曲片は、複数の折曲小片からなり、折曲小片は、ヘルメットの内面側に折曲されると、これの側部が隣り合う他の折曲小片の側部と重なり合うように形成されており、折曲小片の側部には、隣り合う他の折曲小片の側部に設けられた面ファスナーと係着可能な面ファスナーが設けられているので、折曲小片をヘルメットの内面側に折曲すると、折曲小片の側部が、これと隣り合う他の折曲小片の側部と重なり合い、折曲小片の面ファスナー同士が係着して、ヘルメットに簡単に取り付けることができるという効果がある。
【発明を実施するための最良の形態】
【００１１】
本願発明に係るヘルメット用カバーの一つの実施の形態を図１乃至図６に基づいて説明する。図１は、本願発明に係るヘルメット用カバーの正面図である。図２は、本願発明に係るヘルメット用カバーの背面図である。図３は、本願発明に係るヘルメット用カバーの上面図である。図４は、本願発明に係るヘルメット用カバーの分解図である。図５は、本願発明に係るヘルメット用カバーの裏返した斜視図である。図６は、本願発明に係るヘルメット用カバーをヘルメットに装着している状態を示す斜視図である。
【００１２】
ヘルメット用カバー１０は、硬質素材によって半球体状に形成されたヘルメット１に被着される柔軟素材で形成されたものであって、ヘルメット１の表面３全体を覆うように形成されたカバー本体１１と、カバー本体１１の開放端周縁１９に連設された、ヘルメット１の開放端９を包み込むようにしてヘルメット１の内面２側に折曲される折曲片１２とからなる。前記折曲片１２には、ヘルメット１の内面２に設けられた面ファスナー６と係着可能な面ファスナー２６が設けられている。
【００１３】
さらに、ヘルメット用カバー１０について詳細に説明する。図６に示すように、ヘルメット１は、オートバイ、自転車等の走行車両の乗車時に頭部を保護するため、頭部に被せるものである。ヘルメット１は、硬質高強度樹脂製の素材によって半球体状に形成され、内面２に発泡スチロール製緩衝部材５が内装されている。また、ヘルメット１には、頭部装着時に顎の下に引っ掛けて、ヘルメット１を頭部に安定して載せるベルト４が設けられている。ヘルメット１の開放端９近傍の内面２には、接着剤、両面テープ等の接着素材により、複数の面ファスナー６が所定間隔あけて環状に取り付けられている。なお、本実施の形態では、面ファスナー６は、小片状に形成して、ヘルメット１の内面２に取り付けているが、帯状に形成してヘルメット１の内面２に取り付けても構わない。
【００１４】
図１に示すように、ヘルメット用カバー１０は、柔軟素材、例えばポリエステル等の伸縮性のある布地によって形成されている。ヘルメット用カバー１０は、カバー本体１１と、環状の折曲布片１２とからなる。図４に示すように、カバー本体１１は、中央の布片１３と、右側面前部の布片１４と、右側面後部の布片１５と、左側面前部の布片１６と、左側面後部の布片１７とからなる。
【００１５】
中央の布片１３は、円弧状の前端縁１３ａ及び後端縁１３ｂと、緩やかに内側に湾曲した右端縁１３ｃ及び左端縁１３ｄによって、細長く形成されている。また、中央の布片１３は、前部２１に顔２２が形成され、後部２３に切れ目２４が形成されている。右側面前部の布片１４は、円弧状の右前端縁１４ａと、緩やかに湾曲した前部端縁１４ｂと、略直線状の後部端縁１４ｃによって、扇状に形成されている。右側面後部の布片１５は、円弧状の右後端縁１５ａと、緩やかに湾曲した後部端縁１５ｂと、略直線状の前部端縁１５ｃ
によって、扇状に形成されている。
【００１６】
左側面前部の布片１６は、円弧状の左前端縁１６ａと、緩やかに湾曲した前部端縁１６ｂと、略直線状の後部端縁１６ｃによって、扇状に形成されている。左側面後部の布片１７は、円弧状の左後端縁１７ａと、緩やかに湾曲した後部端縁１７ｂと、略直線状の前部端縁１７ｃによって、扇状に形成されている。環状の折曲布片１２は、内面１２ａに複数の面ファスナー２６が所定間隔あけて、縫着により取り付けられている。なお、本実施の形態では、面ファスナー２６は、小片状に形成して、折曲布片１２の内面１２ａに取り付けているが、帯状に形成して折曲布片１２の内面に取り付けても構わない。
【００１７】
図３に示すように、ヘルメット用カバー１０は、最初に、中央の布片１３の緩やかに湾曲した右端縁１３ｃ前部と、右側面前部の布片１４の緩やかに湾曲した前部端縁１４ｂを第１の縫着３１によって取り付け、中央の布片１３の緩やかに湾曲した右端縁１３ｃ後部と、右側面後部の布片１５の緩やかに湾曲した後部端縁１５ｂを第２の縫着３２によって取り付け、中央の布片１３の緩やかに湾曲した左端縁１３ｄ前部と、左側面前部の布片１６の緩やかに湾曲した前部端縁１６ｂを第３の縫着３３により取り付け、中央の布片１３の緩やかに湾曲した左端縁１３ｄ後部と、左側面後部の布片１７の緩やかに湾曲した後部端縁１７ｂを第４の縫着３４によって取り付ける。
【００１８】
次に、右側面前部の布片１４の略直線状の後部端縁１４ｃと右側面後部の布片１５の略直線状の前部端縁１５ｃを第５の縫着３５によって取り付け、左側面前部の布片１６の略直線状の後部端縁１６ｃと左側面後部の布片１７の略直線状の前部端縁１７ｃを第６の縫着３６によって取り付け、中央の布片１３の切れ目２４を第７の縫着３７により取り付ける。布片１４の後部端縁１４ｃと布片１５の前部端縁１５ｃを互いに引っ張りながら第５の縫着３５によって取り付け、布片１６の後部端縁１６ｃと布片１７の前部端縁１７ｃを互いに引っ張りながら第６の縫着３６によって取り付け、切れ目２４の両側を引っ張りながら第７の縫着３７により取り付けることによって、カバー本体１１の外観を整えることができる。
【００１９】
カバー本体１１は、中央の布片１３の円弧状の前端縁１３ａ及び後端縁１３ｂ、右側面前部の布片１４の右前端縁１４ａ、右側面後部の布片１５の右後端縁１５ａ、左側面前部の布片１６の左前端縁１６ａ、左側面後部の布片１７の左後端縁１７ａによってリング状の下端縁（開放端周縁）１９が形成されている。この下端縁（開放端周縁）１９と前記環状の折曲布片１２の上端縁１２ｂが縫着されている。当該折曲布片１２は、カバー本体１１の下端縁（開放端周縁  折曲部）１９を中心として折曲することができる。
【００２０】
ヘルメット用カバー１０は、上記構成を有し、ヘルメット１に被着すると、ヘルメット１の表面３全体をカバー本体１１が覆うことになる。下端縁（開放端周縁  折曲部）１９を中心として折曲布片１２をヘルメット１の内面２側に折曲すると、折曲部１９がヘルメット１の開放端９を覆うようにして、折曲布片１２の面ファスナー２６がヘルメット１の内面２に取り付けられた面ファスナー６と着脱可能に係着する。このようにして、ヘルメット用カバー１０は、着脱可能にヘルメット１に取り付けられる。
【００２１】
ヘルメット用カバー１０は、顔２２が設けられているので、興趣があり、人目を引くことができる。なお、顔２２以外の装飾であっても構わないのは勿論である。また、顔２２を設ける前部２１は、縫着されないので、顔２２の形状を損なうことがない。
【００２２】
ヘルメット用カバー１０は、ヘルメット１の表面３全体を覆うと共に、ヘルメット１の開放端９をも覆うことができるので、ヘルメット１の開放端９が頭部に接触しても、頭部を傷付けることがなく、頭部の保護をより一層向上することができる。また、ヘルメット
用カバー１０は、折曲片１２をヘルメット１の内面２側に折曲すると、折曲片１２の面ファスナー２６がヘルメット１の開放端９近傍の内面２に設けられた面ファスナー６に係着して、ヘルメット１に簡単に取り付けることができる。また、ヘルメット用カバー１０は、折曲片１２の面ファスナー２６をヘルメット１の内面２に設けられた面ファスナー６から脱離させると、ヘルメット１から簡単に取り外すことができる。
【００２３】
本願発明に係るヘルメット用カバーの他の実施の形態を図７乃至図１２に基づいて説明する。図７は、本願発明に係るヘルメット用カバーをヘルメットに装着している状態を示す正面斜視図である。図８は、本願発明に係るヘルメット用カバーをヘルメットに装着している状態を示す側面図である。図９は、本願発明に係るヘルメット用カバーを裏返した斜視図である。図１０は、ヘルメットの側面斜視図である。図１１、１２は、本願発明に係るヘルメット用カバーをヘルメットに装着している状態を示す斜視図である。
【００２４】
ヘルメット用カバー４０の前記折曲片４６は、複数の折曲小片４１〜４４からなる。折曲小片４１〜４４は、ヘルメット１の内面２側に折曲されると、これの側部４１ａ〜４４ｂが隣り合う他の折曲小片４１〜４４の側部４１ａ〜４４ｂと重なり合うように形成されている。折曲小片４１〜４４の側部４１ａ〜４４ｂには、隣り合う他の折曲小片４１〜４４の側部４１ａ〜４４ｂに設けられた面ファスナー５１ａ〜５４ｂと係着可能な面ファスナー５１ａ〜５４ｂが設けられている。
【００２５】
さらに、ヘルメット用カバー４０について詳細に説明する。図１０に示すように、ヘルメット１は、オートバイ、自転車等の走行車両の乗車時に頭部を保護するため、頭部に被せるものであり、硬質高強度樹脂製の素材によって半球体状に形成され、内面２に発泡スチロール製緩衝部材５が内装されている。また、ヘルメット１には、頭部装着時に顎の下に引っ掛けて、ヘルメット１を頭部に安定して載せるベルト４が設けられている。ベルト４は、雄側ベルト４ａと雌側ベルト４ｂとからなる。雄側ベルト４ａは、一方側８ａと他方側８ｂがヘルメット１の内面２に固定されている。雌側ベルト４ｂは、一方側８ｃと他方側８ｄがヘルメット１の内面２に固定されている。
【００２６】
図７、８に示すように、ヘルメット用カバー４０のカバー本体１１は、前述したので省略する。カバー本体１１の下端縁（開放端周縁）１９には、折曲布片４６が縫着により取り付けられている。折曲布片４６は、４つの折曲小片４１〜４４からなる。即ち、カバー本体１１の下端縁（開放端周縁）１９には、４つの折曲小片４１〜４４の上端縁４１ｃ〜４４ｃが縫着されている。当該４つの折曲小片４１〜４４は、カバー本体１１の下端縁（開放端周縁  折曲部）１９を中心として折曲することができる。
【００２７】
折曲小片４１とこの折曲小片４１と対向する折曲小片４３を内側に折曲し、折曲小片４１及び折曲小片４３と隣り合う折曲小片４２と折曲小片４３を内側に折曲する。折曲小片４１は、一方の側部４１ａの表側に、隣り合う他の折曲小片４４の他方の側部４４ｂの裏側が重なり合い、他方の側部４１ｂの表側に、隣り合う他の折曲小片４２の一方の側部４２ａの裏側が重なり合うように形成されている。同様に、折曲小片４３は、一方の側部４３ａの表側に、隣り合う他の折曲小片４２の他方の側部４２ｂの裏側が重なり合い、他方の側部４３ｂの表側に、隣り合う他の折曲小片４４の一方の側部４４ａの裏側が重なり合うように形成されている。
【００２８】
折曲小片４１は、隣り合う他の折曲小片４２，４４の側部４２ａ，４４ｂと重なり合う側部４１ａ，４１ｂの表側に面ファスナー５１ａ，５１ｂが設けられている。同様に、折曲小片４３は、隣り合う他の折曲小片４２，４４の側部４２ｂ，４４ａと重なり合う側部４３ａ，４３ｂの表側に面ファスナー５３ａ，５３ｂが設けられている。折曲小片４２は、隣り合う他の折曲小片４１，４３の側部４１ｂ，４３ａと重なり合う側部４２ａ，４２
ｂの裏側に面ファスナー５２ａ，５２ｂが設けられている。同様に、折曲小片４４は、隣り合う他の折曲小片４３，４１の側部４３ｂ，４１ａと重なり合う側部４４ａ，４４ｂの裏側に面ファスナー５４ａ，５４ｂが設けられている。
【００２９】
ヘルメット用カバー４０は、上記構成を有し、図７，８に示すように、ヘルメット１に被着すると、ヘルメット１の表面３全体をカバー本体１１が覆うことになる。図１１に示すように、下端縁（開放端周縁  折曲部）１９を中心として折曲小片４１とこの折曲小片４１と対向する折曲小片４３をヘルメット１の内面２側に折曲する。次に、下端縁（開放端周縁  折曲部）１９を中心として折曲小片４１及び折曲小片４３と隣り合う折曲小片４２と折曲小片４３をヘルメット１の内面２側に折曲する。折曲部１９がヘルメット１の開放端９を覆う。
【００３０】
折曲小片４１の側部４１ａ，４１ｂの表側に、隣り合う他の折曲小片４２，４４の側部４２ａ，４４ｂが重なり合い、折曲小片４１の面ファスナー５１ａと折曲小片４４の面ファスナー５４ｂが着脱可能に係着し、折曲小片４１の面ファスナー５１ｂと折曲小片４２の面ファスナー５２ａが着脱可能に係着する。折曲小片４３の側部４３ａ，４３ｂの表側に、隣り合う他の折曲小片４２，４４の側部４２ｂ，４４ａが重なり合い、折曲小片４３の面ファスナー５３ａと折曲小片４２の面ファスナー５２ｂが着脱可能に係着し、折曲小片４３の面ファスナー５３ｂと折曲小片４４の面ファスナー５４ａが着脱可能に係着する。このようにして、ヘルメット用カバー４０は、着脱可能且つ簡単にヘルメット１に取り付けられる。
【００３１】
図１２に示すように、ヘルメット用カバー４０は、折曲布片４６が折曲小片４１〜４４からなるので、折曲小片４１と折曲小片４２の間の隙間から雌側ベルト４ｂの他方側８ｄを挿通し、折曲小片４２と折曲小片４３の間の隙間から雄側ベルト４ａの他方側８ｂを挿通し、折曲小片４３と折曲小片４４の間の隙間から雄側ベルト４ａの一方側８ａを挿通し、折曲小片４４と折曲小片４１の間の隙間から雌側ベルト４ｂの一方側８ｃを挿通することができ、折曲布片４６にベルトの挿通孔を形成する必要がない。また、ヘルメット用カバー４０は、雄側ベルト４ａ及び雌側ベルト４ｂによって位置決めされ、不用意に位置がずれたりすることがない。
【００３２】
ヘルメット用カバー４０は、ヘルメット１の表面３全体を覆うと共に、ヘルメット１の開放端９をも覆うことができるので、ヘルメット１の開放端９が頭部に接触しても、頭部を傷付けることがなく、頭部の保護をより一層向上することができる。ヘルメット用カバー４０は、折曲小片４１〜４４をヘルメット１の内面２側に折曲すると、折曲小片４１〜４４の側部４１ａ〜４４ｂが、これと隣り合う他の折曲小片４１〜４４の側部４１ａ〜４４ｂと重なり合い、折曲小片４１〜４４の面ファスナー５１ａ〜５４ｂ同士が係着して、ヘルメット１に簡単に取り付けることができる。ヘルメット用カバー４０は、折曲小片４１〜４４の面ファスナー５１ａ〜５４ｂ同士の係着を解除して引き離すと、ヘルメット１から簡単に取り外すことができる。なお、面ファスナーは、取付手段として好適ではあるが、ボタン、ホック、チャック等の公知の取付手段を採用することもできる。
【図面の簡単な説明】
【００３３】
【図１】本願発明に係るヘルメット用カバーの正面図である。
【図２】本願発明に係るヘルメット用カバーの背面図である。
【図３】本願発明に係るヘルメット用カバーの上面図である。
【図４】本願発明に係るヘルメット用カバーの分解図である。
【図５】本願発明に係るヘルメット用カバーの裏返した斜視図である。
【図６】本願発明に係るヘルメット用カバーをヘルメットに装着している状態を示す斜視図である。
【図７】本願発明に係るヘルメット用カバーをヘルメットに装着している状態を示す正面斜視図である。
【図８】本願発明に係るヘルメット用カバーをヘルメットに装着している状態を示す側面図である。
【図９】本願発明に係るヘルメット用カバーを裏返した斜視図である。
【図１０】ヘルメットの側面斜視図である。
【図１１】本願発明に係るヘルメット用カバーをヘルメットに装着している状態を示す斜視図である。
【図１２】本願発明に係るヘルメット用カバーをヘルメットに装着している状態を示す斜視図である。
【符号の説明】
【００３４】
１  ヘルメット
２  内面
３  表面
４  ベルト
４ａ  雄側ベルト
４ｂ  雌側ベルト
５  緩衝部材
６  面ファスナー
８ａ  一方
８ｂ  他方
８ｃ  一方
８ｄ  他方
９  開放端
１０  ヘルメット用カバー
１１  カバー本体
１２  折曲布片（折曲片）
１２ａ  内面
１２ｂ  上端縁
１３  中央の布片
１３ａ  前端縁
１３ｂ  後端縁
１３ｃ  右端縁
１３ｄ  左端縁
１４  右側面前部の布片
１４ａ  右前端縁
１４ｂ  前部端縁
１４ｃ  後部端縁
１５  右側面後部の布片
１５ａ  右後端縁
１５ｂ  後部端縁
１５ｃ  前部端縁
１６  左側面前部の布片
１６ａ  左前端縁
１６ｂ  前部端縁
１６ｃ  後部端縁
１７  左側面後部の布片
１７ａ  左後端縁
１７ｂ  後部端縁
１７ｃ  前部端縁
１９  下端縁（開放端周縁  折曲部）
２１  前部
２２  顔
２３  後部
２４  切れ目
２６  面ファスナー
３１  第１の縫着
３２  第２の縫着
３３  第３の縫着
３４  第４の縫着
３５  第５の縫着
３６  第６の縫着
３７  第７の縫着
４０  ヘルメット用カバー
４１  折曲小片
４１ａ  側部
４１ｂ  側部
４１ｃ  上端縁
４２  折曲小片
４２ａ  側部
４２ｂ  側部
４２ｃ  上端縁
４３  折曲小片
４３ａ  側部
４３ｂ  側部
４３ｃ  上端縁
４４  折曲小片
４４ａ  側部
４４ｂ  側部
４４ｃ  上端縁
４６  折曲布片（折曲片）
５１ａ  面ファスナー
５１ｂ  面ファスナー
５２ａ  面ファスナー
５２ｂ  面ファスナー
５３ａ  面ファスナー
５３ｂ  面ファスナー
５４ａ  面ファスナー
５４ｂ  面ファスナー
【図１】
2006028662.tif 000003
【図２】
2006028662.tif 000004
【図３】
2006028662.tif 000005
【図４】
2006028662.tif 000006
【図５】
2006028662.tif 000007
【図６】
2006028662.tif 000008
【図７】
2006028662.tif 000009
【図８】
2006028662.tif 000010
【図９】
2006028662.tif 000011
【図１０】
2006028662.tif 000012
【図１１】
2006028662.tif 000013
【図１２】
2006028662.tif 000014